(57)【要約】【課題】  防犯性および留守・就寝時等の静粛性を高め、かつ緊急時および居住者等からの呼び出しには応対することができるインターホン装置を提供する。【解決手段】  呼び出しボタン２３を備えるインターホン子機２１と、呼び出しボタン２３が押下されたことを検出する呼び出し検出回路３６と、呼び出し検出回路３６の検出に基づいて、呼び出しボタン２３が押下された回数を計数するカウンタ回路３７と、予め定める参照回数を設定可能な操作パネル３８と、カウンタ回路３７によって計数された回数が、予め定める参照回数未満の場合には、呼び出し音鳴動スピーカ３３に呼び出し音を出力させず、予め定める参照回数以上の場合は、呼び出し音鳴動スピーカ３３に呼び出し音を出力させる制御部３９とを含む。【選択図】      図１
2009111528.tif 000002
【特許請求の範囲】
【請求項１】
呼び出し操作部を備えるインターホン子機と、前記呼び出し操作部の操作に応じて呼び出し音を出力する出力手段を備えるインターホン親機とを含むインターホン装置であって、
前記呼び出し操作部が操作されたことを検出する検出手段と、
前記検出手段の検出に基づいて、前記呼び出し操作部が操作された回数を計数する計数手段と、
予め定める参照回数を設定可能な回数設定手段と、
前記計数手段によって計数された数が、予め定める参照回数未満の場合は、前記出力手段に呼び出し音を出力させず、予め定める参照回数以上の場合は、前記出力手段に呼び出し音を出力させる制御手段とを含むことを特徴とするインターホン装置。
【請求項２】
複数の動作モードを切替える切替手段を含み、
前記回数設定手段は、複数の動作モードに応じて、予め定める参照回数を個別に設定可能であり、
前記制御手段は、切替手段によって切り替えられた動作モードに応じた予め定める参照回数と、前記計数手段によって計数された数と比較することを特徴とする請求項１に記載のインターホン装置。
【請求項３】
前記インターホン親機は、
前記回数設定手段と、
予め定める参照回数に関する情報を子機に与える送信手段と、
前記制御手段とを含み、
前記インターホン子機は、
前記検出手段と、
前記計数手段と、
前記送信手段によって与えられる前記情報を記憶する記憶手段と、
前記計数手段によって計数された数が、予め定める参照回数未満であるのか、予め定める参照回数以上であるのかを判断する判断手段と、
前記判断手段によって判断した結果を前記制御手段に与える送信手段とを含むことを特徴とする請求項１または２に記載のインターホン装置。
【請求項４】
前記呼び出し操作部が最初に操作されてからの経過時間を計時する計時手段と、
予め定める参照時間を設定可能な時間設定手段とを備え、
前記制御手段は、前記計時手段から経過時間に関する情報を取得し、前記計数手段によって計数された回数が、予め定める参照回数以上の場合であっても、前記計時手段によって計時された経過時間が、予め定める参照時間を超えるまでは、前記出力手段に呼び出し音を出力させないことを特徴とする請求項１〜３のいずれか１つに記載のインターホン装置。
【発明の詳細な説明】
【技術分野】
【０００１】
本発明は、インターホン装置に関し、特に住居の居住者にとって不要な来訪者による呼び出しを抑制することが可能なインターホン装置に関する。
【背景技術】
【０００２】
図９は、基本的なインターホン装置１０を示す図である。インターホン装置１０は、玄関子機１および室内親機２を含んで構成され、玄関子機１および室内親機２は、通常、住居の玄関および住居内にそれぞれ設置され、ケーブルＣ１によって接続されている。
【０００３】
玄関子機１は、来訪者が居住者を呼び出す為に押下する呼び出しボタン３と、居住者と来訪者との通話に用いる通話用スピーカ４および通話用マイク５とを備えている。室内親機２は、玄関子機１の呼び出しボタン３が押下され、ケーブルＣ１を介して呼び出し信号を受信した際に鳴動させ、居住者に呼び出しを伝える為の呼び出し音鳴動スピーカ６と、前記呼び出し音鳴動スピーカ６の音量を調整する、呼び出し音量切替スイッチ７と、居住者が来訪者と通話を行う為のハンドセット８とを備えている。
【０００４】
このように構成されたインターホン装置１０において、来訪者が玄関子機１の呼び出しボタン３を押下すると、ケーブルＣ１を介して呼び出し信号が室内親機２に入力される。呼び出し信号を受信した室内親機２は、呼び出し音鳴動スピーカ６を呼び出し音量切替スイッチ７の設定音量に従って鳴動させ、呼び出しを居住者に報知する。来訪者からの呼び出しを確認した居住者が室内親機２のハンドセット８を室内親機２の本体から離脱させることによってケーブルＣ１を介して来訪者と居住者とが通話可能な状態となる。
【０００５】
第１の従来の技術のインターホン装置では、室内親機にタイマ付きカウンタ回路を備え、所定時間内に呼び出しボタンが押下された回数をカウントし、事前に設定されている参照回数と一致しない場合と一致する場合とで、それぞれ第１の呼び出し音、第２の呼び出し音を鳴動させ、その音量も設定可能とすることによって、一般の来訪者と帰宅時の居住者等とを識別可能にしている（たとえば特許文献１参照）。
【０００６】
第２の従来の技術のインターホン装置では、室内親機に留守・就寝モード切替スイッチを備え、留守・就寝モードに設定された場合には、室外子機（玄関子機）からの呼び出しを抑制することで、深夜呼び出し時の静粛性および不審者からの呼び出しに対する防犯性を向上させている。（たとえば特許文献２参照）
【０００７】
【特許文献１】特開平１１−３３１３９２号公報
【特許文献２】特開２００１−１９７２１２号公報
【発明の開示】
【発明が解決しようとする課題】
【０００８】
しかしながら、第１の従来の技術のインターホン装置では、２種類の呼び出し音と音量を扱う為、構成が複雑になる上に、たとえば一般の来訪者からの呼び出し音量を「０」に設定することによって、一部の来訪者からの第１の呼び出し音を鳴動させないこともできるが、居住者の帰宅時であっても誤った呼び出しボタン押下がなされた場合は呼び出し音が鳴動せず、また偶然設定と同じ呼び出しボタン押下が行われた場合は第２呼び出し音が鳴動するため、防犯および就寝時の不要な呼び出しを遮断する目的で使用するには不十分である。
【０００９】
また、第２の従来の技術のインターホン装置では、留守・就寝モードに設定することによって、来訪者からの呼び出しを完全に遮断することが可能であるが、居住者の帰宅時、および緊急の呼び出しには対応できないといった難点がある。
【００１０】
本発明は、上述の課題を解消するためになされたものであり、本発明の目的は、防犯性および留守・就寝時等の静粛性を高め、かつ緊急時および居住者等からの呼び出しには応対することができるインターホン装置を提供することである。
【課題を解決するための手段】
【００１１】
本発明は、呼び出し操作部を備えるインターホン子機と、前記呼び出し操作部の操作に応じて呼び出し音を出力する出力手段を備えるインターホン親機とを含むインターホン装置であって、
前記呼び出し操作部が操作されたことを検出する検出手段と、
前記検出手段の検出に基づいて、前記呼び出し操作部が操作された回数を計数する計数手段と、
予め定める参照回数を設定可能な回数設定手段と、
前記計数手段によって計数された数が、予め定める参照回数未満の場合は、前記出力手段に呼び出し音を出力させず、予め定める参照回数以上の場合は、前記出力手段に呼び出し音を出力させる制御手段とを含むことを特徴とするインターホン装置である。
【００１２】
また本発明は、複数の動作モードを切替える切替手段を含み、
前記回数設定手段は、複数の動作モードに応じて、予め定める参照回数を個別に設定可能であり、
前記制御手段は、切替手段によって切り替えられた動作モードに応じた予め定める参照回数と、前記計数手段によって計数された数と比較することを特徴とする。
【００１３】
また本発明は、前記インターホン親機は、
前記回数設定手段と、
予め定める参照回数に関する情報を子機に与える送信手段と、
前記制御手段とを含み、
前記インターホン子機は、
前記検出手段と、
前記計数手段と、
前記送信手段によって与えられる前記情報を記憶する記憶手段と、
前記計数手段によって計数された数が、予め定める参照回数未満であるのか、予め定める参照以上であるのかを判断する判断手段と、
前記判断手段によって判断した結果を前記制御手段に与える送信手段とを含むことを特徴とする。
【００１４】
また本発明は、前記呼び出し操作部が最初に操作されてからの経過時間を計時する計時手段と、
予め定める参照時間を設定可能な時間設定手段とを備え、
前記制御手段は、前記計時手段から経過時間に関する情報を取得し、前記計数手段によって計数された回数が、予め定める参照回数以上の場合であっても、前記計時手段によって計時された経過時間が、予め定める参照時間を超えるまでは、前記出力手段に呼び出し音を出力させないことを特徴とする。
【発明の効果】
【００１５】
本発明によれば、玄関などの室外に設置されるインターホン子機における呼び出し操作部の操作が行われた際に、室内に設置されるインターホン親機における出力部から出力される呼び出し音は、インターホン子機における呼び出し操作部の操作回数が予め設定された参照回数に達するまでは出力されず、操作回数が予め定める参照回数に到達した後の呼び出し操作部の操作によって、出力される。これによって、不審者、いたずら、および就寝・留守時等の不所望な呼び出し操作部の操作によって呼び出し音が出力されてしまうことを、抑制することが可能となり、防犯性および静粛性等の向上が可能となる。また、設定された参照回数以上に呼び出し操作部の操作を行えば、呼び出し音が出力されるので、参照回数を知っている居住者の帰宅時および緊急時に何度も呼び出し操作部の操作が行われた場合等の、必要な呼び出しに対しては応対することができ、利便性を向上させることができる。
【発明を実施するための最良の形態】
【００１６】
図１は、本発明の実施の一形態のインターホン装置２０の構成を示すブロック図である。インターホン装置２０は、インターホン子機２１と、インターホン親機３１と、それらを接続するケーブルＣ２とを含んで構成される。インターホン子機２１は、たとえば住居の玄関などの住居外（室外）に設置され、インターホン親機３１は、住居内（室内）に設置されて用いられる。
【００１７】
インターホン子機２１は、呼び出し操作部である呼び出しボタン２３と、通話用スピーカ２４と、通話用マイクロフォン２５とを含んで構成される。呼び出しボタン２３は、たとえば押しボタンによって実現され、来訪者が居住者を呼び出すときに押下される。通話用スピーカ２４および通話用マイクロフォン２５は、居住者と来訪者との通話に用いられる。呼び出しボタン２３は、操作される部分がインターホン子機２１の筐体から露出して設けられ、通話用スピーカ２４および通話用マイクロフォン２５は、インターホン子機２１の筐体の内部に設けられる。インターホン子機２１の筐体には、通話用スピーカ２４の音が筐体の外部に発せられ、また筐体の外部からの音が通話用マイクロフォン２５によって集音することができるように、孔が設けられている。呼び出しボタン２３と、通話用スピーカ２４と、通話用マイクロフォン２５とは、それぞれケーブルＣ２に電気的に接続されている。ケーブルＣ２は、複数の信号ラインを有しており、呼び出しボタン２３と、通話用スピーカ２４と、通話用マイクロフォン２５とは、それぞれ個別の信号ラインに接続されている。前記呼び出しボタン２３が操作される、すなわち呼び出しボタン２３が押下されると、ケーブルＣ２を介して、インターホン親機３１に呼び出し信号が与えられる。
【００１８】
インターホン親機３１は、出力手段である呼び出し音発生部３２および呼び出し音鳴動スピーカ３３と、呼び出し音量切替スイッチ（ＳＷ）３４と、ハンドセット部３５と、検出手段である呼び出し検出回路３６と、計数手段であるカウンタ回路３７と、回数設定手段の一部を構成する操作パネル３８と、操作パネル３８とともに回数設定手段を構成し、かつ制御手段である制御部３９とを含んで構成される。
【００１９】
呼び出し音発生部３２および呼び出し音鳴動スピーカ３３は、呼び出しボタン２３の操作に応じて、すなわち呼び出しボタン２３の押下に応じて、居住者に来訪者を報知するための呼び出し音を出力する。呼び出し音発生部３２は、制御部３９からの制御指令に応じて、呼び出し音を出力するための音信号を生成して、この音信号を呼び出し音鳴動スピーカ３３に与えて、呼び出し音鳴動スピーカ３３を鳴動させる。呼び出し音鳴動スピーカ３３は、前記呼び出し音発生部３２から与えられる音信号に鳴動し、すなわち音信号を音に変換して出力する。
【００２０】
呼び出し音量切替スイッチ３４は、前記呼び出し音鳴動スピーカ３３から発声される音量を調整する調整手段であって、呼び出し音発生部３２に前記音量を調整するための指令を与える。呼び出し音量切替スイッチ３４は、たとえばボリュームスイッチによって実現される。
【００２１】
ハンドセット部３５は、居住者が来訪者と通話を行う為のスピーカおよびマイクロフォンが設けられ、インターホン親機３１の本体に着脱自在に設けられるハンドセット本体と、前記ハンドセット本体が前記インターホン親機３１の本体への着脱状態に応じた信号を制御部３９に与える着脱センサ回路と、制御部３９からの制御指令に応じてハンドセット本体のスピーカおよびマイクロフォンを動作させるハンドセット回路とを含んで構成される。ハンドセット部３５は、ケーブルＣ２に電気的に接続され、通話用スピーカ２４および通話用マイクロフォン２５と個別の信号ラインを介して接続されている。ハンドセット部３５は、制御部３９からの指令に応じて、通話用スピーカ２４および通話用マイクロフォン２５との通信が可能となる。
【００２２】
呼び出し検出回路３６は、呼び出しボタン２３とケーブルＣ２を介して電気的に接続される。呼び出し検出回路３６は、インターホン子機２１の呼び出しボタン２３が押下されたことを検出し、すなわち、ケーブルＣ２を介して与えられる呼び出し信号を検出する。呼び出し信号は、呼び出しボタン２３の押下に応じて発生する。たとえば、呼び出しボタン２３が押下されることによって、呼び出しボタン２３のスイッチング態様が変化して、呼び出しボタン２３の押下が解除されることによって、再び元のスイッチング態様に戻るまでの間、呼び出し信号が発生する。呼び出し検出回路３６は、呼び出し信号が与えられない状態から与えられる状態になったとき、カウンタ回路３７に検出信号を出力する。たとえば、呼び出しボタン２３が押下されていないときには、予め定める第１の電圧が、呼び出し検出回路３６に与えられ、呼び出しボタン２３が押下されているときには、予め定める第１の電圧とは異なる予め定める第２の電圧が、呼び出し検出回路３６に与えられるように構成される。
【００２３】
カウンタ回路３７は、呼び出しボタン２３が押下された回数を、呼び出し検出回路３６が呼び出し信号を検出した回数に基づいて計数する。呼び出しボタン２３が押下された回数は、呼び出し検出回路３６から検出信号が与えられる回数に等しいので、カウンタ回路３７は、検出信号が与えられる回数を計数すればよい。カウンタ回路３７は、計数した回数が増加する毎に、計数した回数に関する情報を制御部３９に与える。カウンタ回路３７は、制御部３９からの制御指令に応じてリセットされ、すなわちカウンタ回路３７が計数した回数は、制御部３９からの制御指令によってクリアされ、「０」にされる。
【００２４】
操作パネル３８は、呼び出しボタン２３の押下について予め定める参照回数を設定する為のキーを備える。また操作パネル３８には、予め定める参照回数を設定する為の設定モードに移行する指令を制御部３９に与えるキーと、設定モードを解除する解除キーと、通常モード、就寝モード、居留守モードおよび留守モードを含む複数の動作モードのいずれの動作モードで動作するのかを選択するモード選択キーとが設けられる。
【００２５】
制御部３９は、中央処理装置（ＣＰＵ）と、制御プログラムを記憶する第１メモリと、所定の情報を記憶する第２メモリと、情報を一時的に記憶するための第３メモリを含んで構成される。制御部３９は、第１メモリに記憶される制御プログラムを中央処理装置が実行処理することによって実現される。また制御部３９は、呼び出し音発生部３２と、ハンドセット部３５と、カウンタ回路３７とに、それぞれ制御指令を与えて、これら各部を制御する。操作パネル３８のキーを操作して、設定モードに移行する指令が制御部３９に与えられると、制御部３９は設定モードで動作する。設定モードでは、制御部３９は、操作パネル３８を操作することによって与えられる、予め定める参照回数に関する情報を、第２メモリに記憶する。第１メモリは、たとえばＲＯＭ（Read Only Memory）などの不揮発性記録媒体によって実現され、第２メモリは、たとえばフラッシュメモリなどの、書き換え可能な不揮発性記録媒体によって実現される。第１および第２メモリは、１つのメモリによって実現されてもよく、この場合は書き換え可能な不揮発性記録媒体によって実現される。第３メモリは、ＲＡＭ（Random Access Memory）によって実現され、いわゆるワークメモリであって、中央処理装置が実行処理する制御プログラムを一時的に記憶したり、中央処理装置の演算処理結果を一時的に記憶したりする。また制御部３９は、リアルタイムクロックを有し、計時することができる。
【００２６】
また制御部３９は、操作パネル３８によって選択される各動作モードで動作する。操作パネル３８および制御部３９は、複数の動作モードを切替える切替手段でもある。第２メモリには、各動作モードに対応して、前記予め定める参照回数Ｎ（Ｎは、自然数）を個別に設定することができ、すなわち前記予め定める参照回数に関する情報を記憶することができる。たとえば、通常モードでは予め定める参照回数がＮ１（Ｎ１は、自然数）回に設定され、就寝モードでは予め定める参照回数がＮ２（Ｎ２は、自然数）回に設定され、居留守モードでは予め定める参照回数がＮ３（Ｎ３は、自然数）回に設定され、留守モードでは予め定める参照回数がＮ４（Ｎ４は、自然数）回に設定される。Ｎ１、Ｎ２、Ｎ３、およびＮ４は、設定モードにおいて操作パネル３８を操作して、利用者が任意に設定することができる。
【００２７】
図２は、呼び出し音を発生させるときの制御部３９の動作処理を示すフローチャートである。ここで、操作パネル３８によって複数の動作モードのうちの１つが選択されているとする。またインターホン親機３１には、図示しない電源部が設けられ、家庭用商用電源と接続されて、装置の各部、すなわち呼び出し音発生部３２、呼び出し音鳴動スピーカ３３と、ハンドセット部３５と、呼び出し検出回路３６と、カウンタ回路３７と、操作パネル３８と、制御部３９とに電力を供給する。またインターホン子機２１の各部、すなわち呼び出しボタン２３、通話用スピーカ２４、および通話用マイクロフォン２５には、ケーブルＣ２を介してインターホン親機３１から電力が供給される。インターホン子機２１には、インターホン親機３１とは別の電源部を設け、この電源部から、各部に電力を供給してもよい。インターホン親機３１の電源を投入して、電源部に電力が供給されるか、または、インターホン子機２１とインターホン親機３１との通話状態が終了すると、ステップａ０からステップａ１に移り、動作処理を開始する。動作処理を開始するとき、制御部３９はカウンタ回路３７をリセットする。
【００２８】
ステップａ１では、制御部３９は、インターホン子機２１から呼び出し信号を受信したか、すなわちカウンタ回路３７から計数した回数に関する情報が与えられたか否かを判断する。来訪者がインターホン子機２１の呼び出しボタン２３を押下すると、呼び出し検出回路３６によって呼び出し信号が検出され、カウンタ回路３７によって、呼び出しボタン２３が押下された回数の計数を開始される。カウンタ回路３７は、計数した回数が増える度に、計数した回数に関する情報を制御部３９に与える。ステップａ１で、呼び出し信号を検出したと判断する、すなわちカウンタ回路３７から計数した回数に関する情報が新たに与えられたと判断すると、ステップａ２に移る。
【００２９】
ステップａ２では、制御部３９は、カウンタ回路３７から与えられる計数した回数に関する情報が表す回数ｎ（ｎは自然数）が、予め定める参照回数Ｎ以上であるか否かを判断する。ここで予め定める参照回数Ｎは、動作モードに対応して第２メモリに記憶されている予め定める参照回数に関する情報である。したがって、たとえば、通常モードではＮは、Ｎ１であり、就寝モードではＮは、Ｎ２であり、居留守モードではＮは、Ｎ３であり、留守モードではＮは、Ｎ４である。ステップａ２で、カウンタ回路３７から与えられる計数した回数に関する情報が表す回数ｎが、予め定める参照回数Ｎ以上であると判断すると、ステップａ３に移り、ステップａ２で、予め定める参照回数Ｎ未満であると判断すると、ステップａ１に移る。
【００３０】
ステップａ３では、制御部３９は、呼び出し音発生部３２を作動させ、すなわち呼び出し音発生部３２に呼び出し音鳴動スピーカ３３を鳴動させるための制御指令を与えて、ステップａ１に移る。呼び出し音発生部３２は、制御部３９から呼び出し音鳴動スピーカ３３を鳴動させるための制御指令が与えられると、音信号を呼び出し音鳴動スピーカ３３に出力する。これによって、呼び出し音鳴動スピーカ３３から呼び出し音が出力され、来訪者からの呼び出しを居住者に報知することができる。呼び出し音は、数秒程度の音であり、たとえば単音であってもよく、音楽であってもよい。
【００３１】
前述したステップａ１において、呼び出し信号を検出していないと判断する、すなわちカウンタ回路３７から計数した回数に関する情報が新たに与えられていないと判断すると、ステップａ４に移る。ステップａ４では、制御部３９は、最後に、カウンタ回路３７から与えられる計数した回数に関する情報を取得してから、予め定める第１の時間Ｔ１が経過したか否かを判断する。ステップａ４において、最後に、カウンタ回路３７から与えられる計数した回数に関する情報を取得してから、予め定める第１の時間Ｔ１が経過したと判断すると、ステップａ５に移る。予め定める第１の時間Ｔ１は、たとえば５秒〜１０秒程度に選ばれる。
【００３２】
ステップａ４において、最後に、カウンタ回路３７から与えられる計数した回数に関する情報を取得してから、予め定める第１の時間Ｔ１が経過していないと判断すると、ステップａ１に移り、カウンタ回路３７から与えられる計数した回数に関する情報を取得するか、あるいは、最後に、カウンタ回路３７から与えられる計数した回数に関する情報を取得してから、予め定める第１の時間Ｔ１が経過するまで、ステップａ１およびステップａ４を所定の周期で繰り返す。このようにステップａ４の処理を設けることによって、時間をあけて別の訪問者が呼び出しボタン２３を押下しても、呼び出し音が報知されてしまうことを抑制することができる。
【００３３】
ステップａ５では、制御部３９は、カウンタ回路３７に制御指令を与えて、カウンタ回路３７をリセットし、すなわちカウンタ回路３７によって計数される回数を「０」に戻して、ステップａ１に移る。
【００３４】
図２のフローチャートは、電源部への電力の供給を停止するか、または、通話状態に移行することによって、終了する。
【００３５】
図３は、通話するときにおける制御部３９の動作処理を示すフローチャートである。制御部３９は、呼び出し音発生部３２を動作させると、呼び出し音発生部３２に呼び出し音鳴動スピーカ３３を鳴動させるための制御指令を与えてから、予め定める第２の時間Ｔ２が経過してしまう前に、ハンドセット本体がインターホン親機３１の本体から離脱したか否かを判断する。具体的には、制御部３９は、ハンドセット部３５の着脱センサ回路から与えられる信号に基づいて、ハンドセット本体の着脱状態を検出して、ハンドセット本体がインターホン親機３１の本体に装着された装着状態から、ハンドセット本体がインターホン親機３１の本体から離脱した離脱状態に遷移したか否かを判断する。制御部３９が、呼び出し音発生部３２を動作させると、呼び出し音発生部３２に呼び出し音鳴動スピーカ３３を鳴動させるための制御指令を与えてから、予め定める第２の時間Ｔ２が経過してしまう前に、ハンドセット本体がインターホン親機３１の本体から離脱したと判断すると、ステップｂ０からステップｂ１に移る。
【００３６】
ステップｂ１では、制御部３９は、ハンドセット部３５のハンドセット回路に制御指令を与えて、ハンドセット本体のスピーカおよびマイクロフォンを動作させるとともに、呼び出し音発生部３２に呼び出し音鳴動スピーカ３３の鳴動を停止させるための制御指令を与えて、ステップｂ２に移る。ステップｂ１の処理によって、インターホン子機２１の通話用スピーカ２４および通話用マイクロフォン２５と、ハンドセット本体のスピーカおよびマイクロフォンとによって、通話が可能となる。
【００３７】
ステップｂ２では、制御部３９は、ハンドセット部３５の着脱センサ回路から与えられる信号に基づいて、ハンドセット本体の着脱状態を検出して、ハンドセット本体がインターホン親機３１の本体に装着されたか否かを判断する。ステップｂ２で、ハンドセット本体がインターホン親機３１の本体に装着されたと判断すると、ステップｂ３に移り、ハンドセット本体がインターホン親機３１の本体に装着されていないと判断すると、ステップｂ２を繰り返す。
【００３８】
ステップｂ３では、制御部３９は、ハンドセット部３５のハンドセット回路に制御指令を与えて、ハンドセット本体のスピーカおよびマイクロフォンの動作を停止させて、動作処理を終了する。
【００３９】
以上のようにインターホン装置２０では、玄関などの室外に設置されるインターホン子機２１における呼び出しボタン２３が押下された際に、室内に設置されるインターホン親機３１における呼び出し音鳴動スピーカ３３から出力される呼び出し音は、前記呼び出しボタン２３の押下回数が予め設定された参照回数に達するまでは出力されず、操作回数が予め定める参照回数に到達した後の呼び出しボタン２３の操作によって、出力される。これによって、不審者、いたずら、および就寝・留守時等の不所望な呼び出しボタン２３の押下によって呼び出し音が出力されてしまうことを、抑制することが可能となり、防犯性および静粛性等の向上が可能となる。また、設定された参照回数以上に呼び出しボタン２３の押下を行えば、呼び出し音が出力されるので、参照回数を知っている居住者の帰宅時および緊急時に何度も呼び出しボタン２３の操作が行われた場合等の、必要な呼び出しに対しては応対することができ、利便性を向上させることができる。
【００４０】
また動作モードを操作パネル３８によって切替えると、動作モードに対応した予め定める参照回数を基準として、呼び出し音を発生するか否かが制御部３９において判断されるので、利用者は、各動作モードに対応した予め定める参照回数を設定しておくことによって、予め定める参照回数を変更したいと思う毎に、予め定める設定回数自体の設定を行う必要がなく、利便性を向上させることがきる。
【００４１】
図４は、本発明の実施の他の形態のインターホン装置４０の構成を示すブロック図である。インターホン装置４０は、前述した実施の形態のインターホン装置２０と類似の構成を有し、インターホン装置２０では、インターホン親機３１において呼び出し音を発生させるか否かを判断しているが、本実施の形態では、インターホン子機４１において呼び出し音を発生させるか否かを判断させる点が異なるのみであるので、対応する部分には同様の参照符号を付してその説明を省略する場合がある。
【００４２】
インターホン装置４０は、インターホン子機４１と、インターホン親機５１と、それらを接続するケーブルＣ２とを含んで構成される。インターホン子機４１は、呼び出しボタン２３と、通話用スピーカ２４と、通話用マイクロフォン２５とに加えて、さらに、呼び出し検出回路３６と、カウンタ回路３７と、子機側制御部４２とを含んで構成される。子機側制御部４２は、ケーブルＣ２によって、後述する親機側制御部５９と電気的に接続されている。子機側制御部４２と、親機側制御部５９とは、通話用スピーカ２４と、通話用マイクロフォン２５とは、異なる信号ラインを介して接続されている。
【００４３】
判断手段および送信手段として機能する子機側制御部４２は、中央処理装置（ＣＰＵ）と、制御プログラムを記憶する第４メモリと、記憶手段であって、所定の情報を記憶する第５メモリと、情報を一時的に記憶するための第６メモリを含んで構成される。子機側制御部４２は、第１メモリに記憶される制御プログラムを中央処理装置が実行処理することによって実現される。また子機側制御部４２は、カウンタ回路３７に制御指令を与えて制御する。子機側制御部４２は、親機側制御部５９から与えられる予め定める参照回数に関する情報を、第５メモリに記憶する。第４メモリは、たとえばＲＯＭなどの不揮発性記録媒体によって実現され、第５メモリは、たとえばフラッシュメモリなどの、書き換え可能な不揮発性記録媒体によって実現される。第４および第５メモリは、１つのメモリによって実現されてもよく、この場合は書き換え可能な不揮発性記録媒体によって実現される。第６メモリは、ＲＡＭ（Random Access Memory）によって実現され、いわゆるワークメモリであって、中央処理装置が実行処理する制御プログラムを一時的に記憶したり、中央処理装置の演算処理結果を一時的に記憶したりする。また子機側制御部４２は、リアルタイムクロックを有し、計時することができる。また子機側制御部４２は、親機側制御部５９から与えられる予め定める参照回数に関する情報を、更新して第５メモリに記憶する。また子機側制御部４２は、呼び出しボタン２３の押下に応じて、親機側制御部５９に呼び出し信号を与える。子機側制御部４２の動作については、後述する。
【００４４】
インターホン親機５１は、呼び出し音発生部３２および呼び出し音鳴動スピーカ３３と、呼び出し音量切替スイッチ（ＳＷ）３４と、ハンドセット部３５と、操作パネル３８とともに回数設定手段を構成し、かつ制御手段である親機側制御部５９とを含んで構成される。親機側制御部５９は、制御部３９と同様の構成を有し、制御部３９とは制御プログラムのみが異なる。操作パネル３８のキーを操作して、設定モードに移行する指令が親機側制御部５９に与えられると、親機側制御部５９は設定モードで動作する。設定モードでは、親機側制御部５９は、前述した制御部３９と同様に動作する。そして、第２メモリに予め定める参照回数に関する情報が記憶されると、この予め定める参照回数に関する情報を、ケーブルＣ２を介して、子機側制御部４２に与える。親機側制御部５９は、動作モードが変更されると、動作モードが変更される度に変更された動作モードに対向して第２メモリに記憶されている予め定める参照回数に関する情報を、子機側制御部４２に与え、送信手段として機能する。
【００４５】
図５は、呼び出し音を発生させるときの子機側制御部４２の動作処理を示すフローチャートである。ここで、操作パネル３８によって複数の動作モードのうちの１つが選択されており、子機側制御部４２の第５メモリには、選択された動作モードに対応する予め定める参照回数に関する情報が記憶されているとする。またインターホン親機５１には、図示しない電源部が設けられ、家庭用商用電源と接続されて、装置の各部、すなわち呼び出し音発生部３２、呼び出し音鳴動スピーカ３３と、ハンドセット部３５と、操作パネル３８と、親側制御部５９とに電力を供給する。またインターホン子機４１の各部、すなわち呼び出しボタン２３と、通話用スピーカ２４と、通話用マイクロフォン２５と、呼び出し検出回路３６と、カウンタ回路３７と、子機側制御部４２とには、ケーブルＣ２を介してインターホン親機５１から電力が供給される。インターホン子機４１には、インターホン親機５１とは別の電源部を設け、この電源部から、各部に電力を供給してもよい。インターホン親機５１の電源を投入して、電源部に電力が供給されるか、または、インターホン子機４１とインターホン親機５１との通話状態が終了すると、ステップｃ０からステップｃ１に移り、動作処理を開始する。動作処理を開始するとき、子機側制御部４２はカウンタ回路３７をリセットする。
【００４６】
ステップｃ１では、子機側制御部４２は、カウンタ回路３７から計数した回数に関する情報が与えられたか否かを判断する。ステップｃ１で、呼び出し信号を検出したと判断する、すなわちカウンタ回路３７から計数した回数に関する情報が新たに与えられたと判断すると、ステップｃ２に移る。
【００４７】
ステップｃ２では、子機側制御部４２は、カウンタ回路３７から与えられる計数した回数に関する情報が表す回数ｎ（ｎは自然数）が、予め定める参照回数Ｎ以上であるか否かを判断する。ここで予め定める参照回数Ｎは、第５メモリに記憶されている予め定める参照回数に関する情報である。ステップｃ２で、カウンタ回路３７から与えられる計数した回数に関する情報が表す回数ｎが、予め定める参照回数Ｎ以上であると判断すると、ステップｃ３に移り、ステップｃ２で、予め定める参照回数Ｎ未満であると判断すると、ステップｃ１に移る。
【００４８】
ステップｃ３では、子機側制御部４２は、ケーブルＣ２に呼び出し信号を出力し、親機側制御部５９に呼び出し信号を送信して、ステップｃ１に移る。
【００４９】
前述したステップｃ１において、呼び出し信号を検出していないと判断する、すなわちカウンタ回路３７から計数した回数に関する情報が新たに与えられていないと判断すると、ステップｃ４に移る。ステップｃ４では、子機側制御部４２は、最後に、カウンタ回路３７から与えられる計数した回数に関する情報を取得してから、予め定める第１の時間Ｔ１が経過したか否かを判断する。ステップｃ４において、最後に、カウンタ回路３７から与えられる計数した回数に関する情報を取得してから、予め定める時間Ｔ１が経過したと判断すると、ステップｃ５に移る。
【００５０】
ステップｃ５では、子機側制御部４２は、カウンタ回路３７に制御指令を与えて、カウンタ回路３７をリセットし、すなわちカウンタ回路３７によって計数される回数を「０」に戻して、ステップｃ１に移る。
【００５１】
図５のフローチャートは、電源部への電力の供給を停止するか、または、通話状態に移行することによって、終了する。
【００５２】
図６は、呼び出し音を発生させるときの親機側制御部５９の動作処理を示すフローチャートである。ここで、操作パネル３８によって複数の動作モードのうちの１つが選択されているとする。インターホン親機５１の電源を投入して、電源部に電力が供給されるか、または、インターホン子機４１とインターホン親機５１との通話状態が終了すると、ステップｄ０からステップｄ１に移り、動作処理を開始する。
【００５３】
ステップｄ１では、親機側制御部５９は、子機側制御部４２から呼び出し信号を受信したか否かを判断する。ステップｄ１において、親機側制御部５９が、子機側制御部４２からの呼び出し信号を受信したと判断すると、ステップｄ２に移り、子機側制御部４２からの呼び出し信号を受信していないと判断すると、ステップｄ１を繰り返す。
【００５４】
ステップｄ２では、親機側制御部５９は、呼び出し音発生部３２を作動させ、すなわち呼び出し音発生部３２に呼び出し音鳴動スピーカ３３を鳴動させるための制御指令を与えて、ステップｄ１に移る。呼び出し音発生部３２は、制御部３９から呼び出し音鳴動スピーカ３３を鳴動させるための制御指令が与えられると、音信号を音鳴動スピーカ３３に出力するので、来訪者からの呼び出しを居住者に報知することができる。
【００５５】
図６のフローチャートは、電源部への電力の供給を停止するか、または、通話状態に移行することによって、終了する。
【００５６】
また通話するときにおける親機側制御部５９の動作処理は、図３に示すフローチャートと同様であり、動作の主体が制御部３９から親機側制御部５９に変更しただけであるので、説明を省略する。
【００５７】
以上のようにインターホン装置４０では、前述したインターホン装置２０と同様の効果を達成することができ、さらにインターホン子機４１において呼び出し音を発生させるか否かを判断させることによって、前述のインターホン親機３１において呼び出し音を発生させるか否かを判断させる場合に比べて、呼び出し音を発生させるまではインターホン子機４１のみ動作させればよく、インターホン親機３１は動作させる必要が無くなる為、不要な電力消費を抑制することができる。
【００５８】
図７は、本発明の実施のさらに他の形態のインターホン装置６０の構成を示すブロック図である。インターホン装置６０は、前述した実施の形態のインターホン装置２０と類似の構成を有し、インターホン装置２０の構成に加えて、タイマ部７２を含んで構成され、また制御部３９の制御動作の一部が異なるのみであるので、対応する構成には、同様の参照符号を付してその説明を省略する場合がある。
【００５９】
インターホン装置６０は、インターホン子機２１と、インターホン親機７１と、それらを接続するケーブルＣ２とを含んで構成される。インターホン親機７１は、前述したインターホン親機３１の構成に加えて、タイマ部７２を含んで構成され、また制御部３９の制御動作の一部が異なるのみである。
【００６０】
タイマ部７２は、計時手段であり、制御部３９からの制御指令に応じて、時間を計時する。またタイマ部７２は、制御部３９からの制御指令に応じてリセットされ、すなわちタイマ部７２が計時した時間は、制御部３９からの制御指令に応じてクリアされ、「０」にされる。
【００６１】
図８は、呼び出し音を発生させるときの制御部３９の動作処理を示すフローチャートである。ここで、操作パネル３８によって複数の動作モードのうちの１つが選択されているとする。またインターホン親機７１には、図示しない電源部が設けられ、家庭用商用電源と接続されて、装置の各部、すなわち呼び出し音発生部３２、呼び出し音鳴動スピーカ３３と、ハンドセット部３５と、呼び出し検出回路３６と、カウンタ回路３７と、操作パネル３８と、制御部３９と、タイマ部７２とに電力を供給する。またインターホン子機２１の各部、すなわち呼び出しボタン２３、通話用スピーカ２４、および通話用マイクロフォン２５には、ケーブルＣ２を介してインターホン親機７１から電力が供給される。インターホン子機２１には、インターホン親機７１とは別の電源部を設け、この電源部から、各部に電力を供給してもよい。インターホン親機７１の電源を投入して、電源部に電力が供給されるか、または、インターホン子機２１とインターホン親機７１との通話状態が終了すると、ステップｅ０からステップｅ１に移り、動作処理を開始する。動作処理を開始するとき、制御部３９はカウンタ回路３７およびタイマ部７２をそれぞれリセットする。
【００６２】
ステップｅ１では、制御部３９は、インターホン子機２１から呼び出し信号を受信したか、すなわちカウンタ回路３７から計数した回数に関する情報が与えられたか否かを判断する。ステップａ１で、呼び出し信号を検出したと判断する、すなわちカウンタ回路３７から計数した回数に関する情報が新たに与えられたと判断すると、ステップｅ２に移る。
【００６３】
ステップｅ２では、制御部３９は、カウンタ回路３７から与えられる計数した回数に関する情報が表す回数ｎ（ｎは自然数）が、「１」であるか否かを判断する。ステップｅ２で、制御部３９は、カウンタ回路３７から与えられる計数した回数に関する情報が表す回数ｎ（ｎは自然数）が、「１」であると判断すると、ステップｅ３に移り、「１」ではないと判断すると、ステップｅ４に移る。
【００６４】
ステップｅ３では、制御指令をタイマ部７２に与えて、計時をスタートさせる。ステップｅ３が終了すると、ステップｅ４に移る。
【００６５】
ステップｅ４では、制御部３９は、カウンタ回路３７から与えられる計数した回数に関する情報が表す回数ｎ（ｎは自然数）が、予め定める参照回数Ｎ以上であるか否かを判断する。ステップｅ４で、カウンタ回路３７から与えられる計数した回数に関する情報が表す回数ｎが、予め定める参照回数Ｎ以上であると判断すると、ステップｅ５に移り、予め定める参照回数Ｎ未満であると判断すると、ステップｅ１に移る。
【００６６】
ステップｅ５では、制御部３９は、タイマ部７２が計時した経過時間を参照して、計時した経過時間ｔが、予め定める参照時間Ｔ３を超えているか否かを判断する。予め定める参照時間Ｔ３は、前述のインターホン装置２０において参照回数Ｎを設定したのと同様に、予め動作モード毎に第２メモリに記憶されており、その時点で設定されている動作モードに対応した参照時間Ｔ３が選択される。このように予め定める参照時間Ｔ３を選ぶことによって、参照回数Ｎを超えて呼び出しボタン２３が押下された場合でも、参照時間Ｔ３の期間内であれば、呼び出しを無効にすることができる。ステップｅ５において、制御部３９は、前記経過時間ｔが、予め定める参照時間Ｔ３を超えていると判断すると、ステップｅ６に移り、予め定める参照時間Ｔ３を超えていないと判断すると、ステップｅ１に移る。
【００６７】
ステップｅ３では、制御部３９は、呼び出し音発生部３２を作動させ、すなわち呼び出し音発生部３２に呼び出し音鳴動スピーカ３３を鳴動させるための制御指令を与えて、ステップｅ１に移る。
【００６８】
前述したステップｅ１において、呼び出し信号を検出していないと判断する、すなわちカウンタ回路３７から計数した回数に関する情報が新たに与えられていないと判断すると、ステップｅ７に移る。ステップｅ７では、制御部３９は、最後に、カウンタ回路３７から与えられる計数した回数に関する情報を取得してから、予め定める第１の時間Ｔ１が経過したか否かを判断する。ステップｅ７において、最後に、カウンタ回路３７から与えられる計数した回数に関する情報を取得してから、予め定める第１の時間Ｔ１が経過したと判断すると、ステップｅ８に移り、予め定める第１の時間Ｔ１が経過していないと判断すると、ステップｅ１に移る。
【００６９】
ステップｅ８では、制御部３９は、カウンタ回路３７に制御指令を与えて、カウンタ回路３７をリセットし、すなわちカウンタ回路３７によって計数される回数を「０」に戻して、ステップａ９に移る。
【００７０】
ステップｅ９では、制御部３９は、タイマ部７２に制御指令を与えて、タイマ部７２をリセットし、すなわちタイマ部７２によって計時される経過時間を「０」に戻して、ステップｅ１に移る。
【００７１】
図８のフローチャートは、電源部への電力の供給を停止するか、または、通話状態に移行することによって、終了する。また通話するときにおける制御部３９の動作処理は、図３に示すフローチャートと同様である。
【００７２】
以上のようにインターホン装置６０では、前述したインターホン装置２０と同様の効果を達成することができ、さらに呼び出しボタン２３が押下されてからの経過時間を測定し、予め設定された参照時間Ｔ３が経過するまでは、設定された予め定める参照回数Ｎ以上に呼び出しボタン２３が押下されても、呼び出し音鳴動スピーカ３３の鳴動を行わないので、いたずら等により、呼び出しボタン２３が短時間に予め定める参照回数Ｎ以上押下された場合の呼び出しも無効にできる。
【００７３】
本発明の実施のさらに他の形態では、前述したインターホン装置４０において、タイマ部７２を設けて、子機側制御部４２に、図８のフローチャートで示した制御部３９の動作処理を行わせる構成としてもよい。ただし、この場合には、図８のフローチャートにおける動作の主体を子機側制御部４２とし、図８のフローチャートのステップｅ６は、図５のフローチャートのステップｃ３の処理に置き換える。このような構成によって、インターホン装置６０と同様の効果を達成することができる。
【００７４】
さらに前述した各実施の形態では、呼び出し操作部は、呼び出しボタン２３によって実現されているが、本発明の実施のさらに他の形態において、呼び出し操作部は、たとえばタッチセンサなど手指を接触することによって操作するものであったり、手指で引っ張って操作するものであったりしてもよい。
【００７５】
また前述した各実施の形態では、ハンドセット部３５を備えているが、ハンドセット部３５を備えず、通話用スピーカ、通話用マイクロフォンおよび通話開始／停止操作部を備える構成としてもよい。通話開始／停止操作部を操作して、通話を開始する指令または通話を停止する指令を制御部３９、親機側制御部５９に与えることによって、着脱センサ回路によって、ハンドセット本体の離脱／装着を検出する場合と同様に動作させることができ、前述の各実施の形態と同様の効果を達成することができる。
【００７６】
また本発明の各実施の形態では、インターホン子機とインターホン親機とは、ケーブルＣ２によって電気的に接続されているが、ケーブルＣ２に代えて、インターホン子機とインターホン親機とにそれぞれ無線通信手段を設ける構成として、無線通信手段によって、呼び出し信号、音声信号などの各種の情報の伝送を行ってもよい。これらの無線通信手段は、たとえばコードレス電話の通信方式で通信する。無線通信手段を設る場合には、インターホン子機とインターホン親機とにそれぞれ個別に電源を設ける。このような構成とすると、インターホン子機とインターホン親機との設置の自由度を向上させることができる。
【図面の簡単な説明】
【００７７】
【図１】本発明の実施の一形態のインターホン装置２０の構成を示すブロック図である。
【図２】呼び出し音を発生させるときの制御部３９の動作処理を示すフローチャートである。
【図３】通話するときにおける制御部３９の動作処理を示すフローチャートである。
【図４】本発明の実施の他の形態のインターホン装置４０の構成を示すブロック図である。
【図５】呼び出し音を発生させるときの子機側制御部４２の動作処理を示すフローチャートである。
【図６】呼び出し音を発生させるときの親機側制御部５９の動作処理を示すフローチャートである。
【図７】本発明の実施のさらに他の形態のインターホン装置６０の構成を示すブロック図である。
【図８】呼び出し音を発生させるときの制御部３９の動作処理を示すフローチャートである。
【図９】基本的なインターホン装置１０を示す図である。
【符号の説明】
【００７８】
１０，２０，４０，６０  インターホン装置
２１，４１  インターホン子機
２３  呼び出しボタン
２４  通話用スピーカ
２５  通話用マイクロフォン
３１，５１，７１  インターホン親機
３２  呼び出し音発生部
３３  呼び出し音鳴動スピーカ
３４  呼び出し音量切替スイッチ
３５  ハンドセット部
３６  呼び出し検出回路
３７  カウンタ回路
３８  操作パネル
３９  制御部
５９  親機側制御部
７２  タイマ部
Ｃ１，Ｃ２  ケーブル
【図１】
2009111528.tif 000003
【図２】
2009111528.tif 000004
【図３】
2009111528.tif 000005
【図４】
2009111528.tif 000006
【図５】
2009111528.tif 000007
【図６】
2009111528.tif 000008
【図７】
2009111528.tif 000009
【図８】
2009111528.tif 000010
【図９】
2009111528.tif 000011